(57)【要約】【課題】内容欄及びその控え欄として使用できるスペースを一面に大きく確保することができ、また、印字の際に無駄な紙送りを必要としない伝票用紙を提供すること。【解決手段】この発明の伝票用紙は、用紙本体１の一面において折目線２で分割された一方の領域１ａに内容欄３を設け、他方の領域１ｂに接着層を設けて内容控紙５を剥離可能に接着させてなり、内容控紙５を剥がし取って用紙本体１を前記折目線２で谷折りしたときに、前記他方の領域１ｂが接着層により前記一方の領域１ａに接着して内容欄３を覆い隠すようにしたものとしている。【選択図】  図１
2008036858.tif 000002
【特許請求の範囲】
【請求項１】
用紙本体（１）の一面において折目線（２）で分割された一方の領域（１ａ）に内容欄（３）を設け、他方の領域（１ｂ）に接着層（４）を設けて内容控紙（５）を剥離可能に接着させてなり、内容控紙（５）を剥がし取って用紙本体（１）を前記折目線（２）で谷折りしたときに、前記他方の領域（１ｂ）が接着層（４）により前記一方の領域（１ａ）に接着して内容欄（３）を覆い隠すようになっていることを特徴とする伝票用紙。
【請求項２】
前記他方の領域（１ｂ）に窓開け用切目線（６）を設けることにより、谷折りして接着した後に、窓開け用切目線（６）の内側部分を切除して内容欄（３）を露出させられるようにしている請求項１記載の伝票用紙。
【請求項３】
前記他方の領域（１ｂ）に分割用切目線（７）を設けた請求項１又は２記載の伝票用紙。
【発明の詳細な説明】
【技術分野】
【０００１】
この発明は、給与明細書、納品書、請求書、ダイレクトメール、その他各種の用途で使用可能な伝票用紙に関するものである。
【背景技術】
【０００２】
従来、特許文献１に記載のような、裏面に剥離層１ｃを設けた表側紙１ａの裏に糊１ｄ付きの裏側紙１ｂを接着した用紙１を、横方向の切取線７と折目線２により、上段領域８、中段領域９及び下段領域１０の３つの領域に分け、中段領域９に給与明細等の内容欄を設け、上段領域８に内容欄の控え欄を設け、下段領域１０には何も記載しないものとし、さらに、糊代４部分の表側紙１ａを剥がすと、裏側紙１ｂの糊１ｄがあらわれ、上段領域８を切取線７で切り離し、折目線２で谷折すると、中段領域９に下段領域１０が前記糊１ｄの部分で接着した封筒状となるようにした伝票用紙がある。
【０００３】
この伝票用紙は、給与明細等の内容欄（中段領域９）とその控え欄（上段領域８）を同一面に配置しているため、内容欄と控え欄に、連続的ないし同時にプリンタで印字できるようになっている。
【０００４】
しかし、この伝票用紙は、前記中段領域９の下に何も記載しない下段領域１０が必要であるため、内容欄及びその控え欄として使用できるスペースが小さくなるとともに、印字の際に無駄な紙送りが必要となっていた。
【特許文献１】特開２００６−３５７１６号公報
【発明の開示】
【発明が解決しようとする課題】
【０００５】
そこで、この発明は、内容欄及びその控え欄として使用できるスペースを一面に大きく確保することができ、また、印字の際に無駄な紙送りを必要としない伝票用紙を提供することを課題とする。
【課題を解決するための手段】
【０００６】
この発明の伝票用紙は、用紙本体１の一面において折目線２で分割された一方の領域１ａに内容欄３を設け、他方の領域１ｂに接着層４を設けて内容控紙５を剥離可能に接着させてなり、内容控紙５を剥がし取って用紙本体１を前記折目線２で谷折りしたときに、前記他方の領域１ｂが接着層４により前記一方の領域１ａに接着して内容欄３を覆い隠すようにしたものとしている。
【０００７】
さらに、前記他方の領域１ｂに窓開け用切目線６を設けることにより、谷折りして接着した後に、窓開け用切目線６の内側部分を切除して内容欄３を露出させられるようにしたものとすることができる。
【０００８】
また、前記他方の領域１ｂに分割用切目線７を設けたものとすることができる。
【発明の効果】
【０００９】
この発明の伝票用紙は、上述のような構成を有しており、内容欄３及びその控え欄として使用できるスペースを一面に大きく確保することができ、また、印字の際に無駄な紙送りを必要としないものとなっている。
【００１０】
さらに、前記他方の領域１ｂに窓開け用切目線６を設けることにより、谷折りして接着した後に、窓開け用切目線６の内側部分を切除して内容欄３を露出させられるようにしたものとすれば、受取人は、ハサミやカッターを使用することなく、容易に内容欄３を見ることが可能となる。
【００１１】
また、前記他方の領域１ｂに分割用切目線７を設けたものとすれば、この分割用切目線７の位置から、内容控紙５を容易に剥がし取ることが可能となる。
【発明を実施するための最良の形態】
【００１２】
以下、この発明の好適な実施形態を、図面を参照して説明する。
【００１３】
図１はこの発明の実施形態の伝票用紙の斜視図、図２は断面図、図３は裏返した場合の斜視図、図４は内容控紙５を剥がし取る様子を示す斜視図、図５は用紙本体１と剥がし取った内容控紙５を、ともに印字面を表にして配置した場合の斜視図、図６は伝票用紙の用紙本体１を谷折りにして接着させた状態の斜視図、図７は窓開け用切目線６の内側部分を取り去る様子を示す斜視図である。
【００１４】
この発明の伝票用紙は、用紙本体１の一面（印字面）において折目線２で分割された一方の領域１ａに内容欄３を設け、他方の領域１ｂの周囲に接着層４を設けて内容控紙５を剥離可能に接着させてなり、内容控紙５を剥がし取って用紙本体１を前記折目線２で谷折りしたときに、前記他方の領域１ｂが接着層４により前記一方の領域１ａに接着して内容欄３を覆い隠すようにしたものである。
【００１５】
この実施形態の伝票用紙は、図１に示したように、Ａ４の単票用紙の態様としており、用紙本体１の折目線２より上半分を、前記一方の領域１ａとして給与明細等の内容欄３を設け、下半分を前記他方の領域１ｂとして、ここに前記内容欄３と同じ内容が記入される内容控紙５を接着させている。用紙本体１及び内容控紙５の材質や大きさは、プリンタで印字できるものであれば特に限定されない。
【００１６】
前記一方の領域１ａ及び内容控紙５は、当初は空白でも、一部印刷済みのものであってもよい。また、前記一方の領域１ａの外端部（折目線２の対向側、すなわち上端部）は、後述のとおり、用紙本体１を谷折りにして接着させても他方の領域１ｂに覆われず露出した状態にすることができるので、ここに「給与支給明細書」といったタイトル等、受取人以外の者に見られても問題のない情報を印字することができる。前記内容欄３及び内容控紙５への情報の記載は、プリンタにより連続的ないし同時に印字することにより行うことができる。
【００１７】
図２に示したように、この伝票用紙は、前記他方の領域１ｂの上に同じ大きさの内容控紙５が重なった態様となっている。前記他方の領域１ｂから内容控紙５を剥がし取ると、図５に示したようになる。前記他方の領域１ｂには、周囲の４辺の縁部に接着層４が設けられている。接着層４は、適宜の接着剤が塗布されたものであり、内容控紙５の裏面を、接着層４を剥離可能とする溶剤が塗布されたものとすることにより、接着層４を内容控紙５に剥離可能に接着させている。
【００１８】
接着層４は、図示したように前記他方の領域１ｂの一面の周囲に設けるだけでよく、内容控紙５と接触する部分の面全体に設ける必要はない。接着層４が面全体に設けられていると、熱によって用紙本体１が反り返ってしまうことがあるが、周囲に設けるだけであれば、このような事態を防止することができる。
【００１９】
さらに、図３に示したように、前記他方の領域１ｂには分割用切目線７（スリッター）を設けている。この分割用切目線７は、前記他方の領域１ｂの外端付近（折目線２の対向側）に設けられており、他方の領域１ｂを横方向に分割できるようにしたものである。この伝票用紙は、用紙本体１を分割用切目線７で曲げる等して、内容控紙５を、分割用切目線７で分割された他方の領域１ｂの外端部１０ｂが接着した状態で、容易に剥がし取ることができる。これを示すため、用紙本体１の他面には、「スリッター位置より上部と控え面を本体より剥がして下さい。」のような説明が記載されている。
【００２０】
なお、前記他方の領域１ｂの外端の辺の縁部における接着層４は、分割用切目線７を越えて内側（折目線２側）に至る幅を有しており（図２参照）、内容控紙５とともに他方の領域１ｂの外端部１０ｂが取り去られても、分割用切目線７の内側に接着層４が残るようになっている。
【００２１】
また、前記他方の領域１ｂには、図３に示したように、窓開け用切目線６を設けている。この窓開け用切目線６は、周囲の４辺の縁部付近において、前記接着層４の内周の内側に形成された略四角形の閉じた線であり、各コーナー部が丸みを有したものとしている。この伝票用紙は、後述のとおり、谷折りして接着した後に、窓開け用切目線６の内側部分を切除して内容欄３を露出させることができるようになっている。これを示すため、前記いずれかのコーナー部に目印８を設けるとともに、用紙本体１の他面（前記印字面の裏側）に、「ここからゆっくりと剥がして下さい。」のような説明が記載されている。
【００２２】
折目線２、窓開け用切目線６、分割用切目線７は、ミシン目やスリット等とすることができる。また、用紙本体１の他面には、適宜の模様を付すことにより、印字面に記載した内容が透けて見えることが防止されるようにするとよい。
【００２３】
次に、この伝票用紙の使用方法について説明する。
【００２４】
この伝票用紙は、まず、企業等の伝票を渡す側において、用紙本体１の前記他方の領域１ｂに内容控紙５を接着した状態で、内容欄３及び内容控紙５にプリンタによって印字を行い、そして、図４に示したように、裏返しにして、分割用切目線７の位置から内容控紙５を剥がし取る。図５は、分離した用紙本体１と内容控紙５をともに一面（印字面）を表側にして配置した状態を示したものである。
【００２５】
内容控紙５を剥がし取る際、前述のとおり用紙本体１を分割用切目線７で曲げると、本体から内容控紙５を容易に剥離させることができる。また、分割用切目線７で分割された他方の領域１ｂの外端部１０ｂは、内容控紙５に接着したまま、内容控紙５とともに取り去られる。剥がし取られた内容控紙５は、企業等の伝票を渡す側が保管する。
【００２６】
そして、用紙本体１を谷折にして、図６に示したように、前記他方の領域１ｂが接着層４により前記一方の領域１ａに接着して内容欄３を覆い隠すようにする。接着層４は、前述のとおり、他方の領域１ｂの周囲の４辺の縁部に設けられており、内容欄３の周囲の縁部に接着するようになっている。
【００２７】
他方の領域１ｂは、前記分割用切目線７で外端部１０ｂが取り去られているため、上下方向（折目線２と外端間）の長さが前記一方の領域１ａよりも短くなっている。これにより、前記一方の領域１ａの外端部（上端部）には、他方の領域１ｂに覆われていない部分があり、ここに「７月度給与支給明細書」等のタイトル、受取人の氏名、発行者名を表示したものとすることができる。
【００２８】
このように谷折りにして接着された伝票用紙は、封筒状となり、受取人に渡されることになる。内容欄３及び内容控紙５への印字後からこの状態にするまでの工程は、内容控紙５の剥離と、用紙本体１の谷折りの２工程だけで済むので、作業を容易かつ迅速に行うことができる。
【００２９】
そして、受取人は、図７に示したように、前記窓開け用切目線６を、目印８が付されたコーナー部（他のコーナー部でもよい）から切っていき、その内側部分を取り去ることにより、用紙本体１に窓が開いた状態にする。すると、前記一方の領域１ａにおける内容欄３が露出するので、内容欄３を読み取ることができる。
【００３０】
なお、この伝票用紙では、図１、図２に表れているように、用紙本体１の一面において、内容控紙５の厚みの分、一方の領域１ａと他方の領域１ｂとに段差が生じている。そのため、この伝票用紙を多数枚積層すると傾いて不安定になったり、また、段差がプリンタによる印字の障害になったりすることがある。
【００３１】
そこで、このような問題を解決するため、図８、図９に示した形態で実施することも可能である。この実施形態では、用紙本体１の一方の領域１ａにおいて、一面側（印字面側）に領域１ａに等しい大きさの内容紙９を接着層４を介して設けることにより、用紙が２枚重なった構成とし、他方の領域１ｂとの段差をなくしたものとしている。
【００３２】
内用紙９は、図１に示した実施形態の前記一方の領域１ａにおける印字面と同様に、内容欄３と「給与支給明細書」といったタイトル等を記載したものである。内用紙９は、その裏面の周縁部分又は全部を、一方の領域１ａにおいて用紙本体１に接着させたもので、剥離できないものでよい。内容紙９と内容控紙５は面一であり、折れ目線２の上に重なる分割線２ａにより分割される。分割線２ａはミシン目やスリット等とすることができる。
【００３３】
この実施形態の伝票用紙は、内容紙９を設けた点以外は、基本的に図１等に示した伝票用紙と同じ構成であり、同様に使用することができる。
【００３４】
以上がこの発明の実施の形態の説明であり、給与明細書の例を示したが、これに限定されず、例えば請求書等にも適用できる。また、全体や各部分の大きさ、形状、位置、縦横の向き等は適宜変更して実施することができる。
【図面の簡単な説明】
【００３５】
【図１】この発明の実施形態の伝票用紙の斜視図である。
【図２】この発明の実施形態の伝票用紙の断面図である。
【図３】この発明の実施形態の伝票用紙を裏返した場合の斜視図である。
【図４】この発明の実施形態の伝票用紙の内容控紙を剥がし取る様子を示す斜視図である。
【図５】この発明の実施形態の伝票用紙の、用紙本体と剥がし取った内容控紙を、ともに印字面を表にして配置した場合の斜視図である。
【図６】この発明の実施形態の伝票用紙の用紙本体を谷折りにして接着させた状態の斜視図である。
【図７】この発明の実施形態の伝票用紙の、窓開け用切目線の内側部分を取り去る様子を示す斜視図である。
【図８】この発明の他の実施形態の伝票用紙の斜視図である。
【図９】この発明の他の実施形態の伝票用紙の断面図である。
【符号の説明】
【００３６】
１  用紙本体
２  折目線
３  内容欄
１ａ  一方の領域
１ｂ  他方の領域
４  接着層
５  内容控紙
６  窓開け用切目線
７  分割用切目線
【図１】
2008036858.tif 000003
【図２】
2008036858.tif 000004
【図３】
2008036858.tif 000005
【図４】
2008036858.tif 000006
【図５】
2008036858.tif 000007
【図６】
2008036858.tif 000008
【図７】
2008036858.tif 000009
【図８】
2008036858.tif 000010
【図９】
2008036858.tif 000011